(57)【要約】【課題】接続部材のブラシホルダへの取り付けをより容易にできるとともに、ブラシボックスの変形も小さくでき、電源端子との接続応力も小さくできるブラシ装置を提供することにある。【解決手段】第１保持プレート８０及び第２保持プレート９０は、第２〜第５ブラシボックスに配置される第１及び第２導電部材７１，７２の円弧部７１ａ，７２ａを第１及び第２収容溝に配置した状態で、第１及び第２係止舌片８４ａ，８４ｂによってブラシホルダ３０に対してスナップフィット結合されている。【選択図】図２
2014087102.tif 000002
【特許請求の範囲】
【請求項１】
円環板状に形成したブラシホルダのベースプレートの一側面周方向に複数設けられ、少なくとも１つの第１極性の第１ブラシと、少なくとも１つの第２の極性の第２ブラシを径方向に摺動可能に収容する複数のブラシボックスと、
前記複数のブラシボックスのうち予め定めた隣接する２つのブラシボックス間の前記ベースプレートに設けられた第１電源端子及び第２電源端子と、
円弧状に湾曲され、その湾曲した第１円弧部が前記複数のブラシボックスのうちの対応するブラシボックスの上面に配置され、前記第１ブラシと前記第１電源端子とを電気的に接続する第１導電部材と、
円弧状に湾曲され、その湾曲した第２円弧部が前記複数のブラシボックスのうちの対応するブラシボックスの上面に配置され、前記第２ブラシと前記第２電源端子とを電気的に接続する第２導電部材と
を有したブラシ装置であって、
前記対応するブラシホルダの上面に配置される保持プレートと、
前記保持プレート又は前記ベースプレートの少なくともいずれか一方に設けられ、前記保持プレートと前記ベースプレートとをスナップフィット結合するスナップフィット結合部材と
を有し、
前記対応するブラシボックスに載置された前記第１導電部材及び前記第２導電部材の第１及び第２円弧部が、前記保持プレートと前記対応するブラシボックスとの間で保持された状態で前記保持プレートと前記ベースプレートがスナップフィット結合されていることを特徴とするブラシ装置。
【請求項２】
請求項１に記載のブラシ装置において、
前記複数のブラシボックスは、６個であって、その６個のブラシホルダは前記第１ブラシと前記第２ブラシを交互に収容し、
前記第１導電部材は、前記隣接する２つのブラシボックス以外の４個のブラシホルダの天井壁上に載置される円弧状の前記第１円弧部と、前記第１円弧部の先端から径方向内側に形成した第１チョークコイル部と、前記第１チョークコイル部の先端から前記隣接する２つのブラシボックスのうちの一方のブラシボックスの天井壁を介して前記第１電源端子に接続されたものであり、
前記第２導電部材は、前記隣接する２つのブラシボックス以外の４個のブラシホルダの天井壁上に載置される円弧状の前記第２円弧部と、前記第２円弧部の先端から径方向内側に形成した第２チョークコイル部と、前記第２チョークコイル部の先端から前記隣接する２つのブラシボックスのうちの他方のブラシボックスの天井壁を介して前記第２電源端子に接続されたものであり、
前記保持プレートは、前記４個のブラシホルダの天井壁上に載置される前記第１及び第２円弧部を前記スナップフィット結合部材にて保持することを特徴とするブラシ装置。
【請求項３】
請求項１又は２に記載のブラシ装置において、
前記保持プレートは、前記ブラシホルダの上面側に配置される下面に、前記第１導電部材の第１円弧部を嵌合する第１収容溝と、前記第２導電部材の第２円弧部を収容する第２収容溝をそれぞれ形成したことを特徴とするブラシ装置。
【請求項４】
請求項３に記載のブラシ装置において、
前記保持プレートは、その上面から前記下面に形成した第１収容溝及び第２収容溝に貫通する貫通穴を形成したことを特徴とするブラシ装置。
【請求項５】
請求項１〜４のいずれか１つに記載のブラシ装置において、
前記保持プレートは、軸方向から見て、前記第１ブラシの第１ピッグテールと前記第１導電部材と電気的接続する位置及び前記第２ブラシの第２ピッグテールと前記第２導電部材と電気的接続する位置に開口部が形成されていることを特徴とするブラシ装置。
【請求項６】
請求項１〜５のいずれか１つに記載のブラシ装置において、
前記スナップフィット結合部材は、前記保持プレートの上面に周方向に沿って形成された係止舌片であって、前記ベースプレート側に撓んでブラシボックスの側壁に形成されたエッジに前記係止舌片の先端部に形成した係止爪が係合し、前記係止舌片の復元力にて前記係止爪と前記エッジの係合状態が保持されることを特徴とするブラシ装置。
【請求項７】
請求項６に記載のブラシ装置において、
前記保持プレートに周方向に沿って形成された前記係止舌片は、複数であって少なくても１つの第１係止舌片は、他の第２係止舌片と異なる向きに形成され、前記第１係止舌片と前記第２係止舌片はそれぞれ異なるブラシボックスの側壁に形成された凹部のエッジと係合保持されることを特徴とするブラシ装置。
【請求項８】
請求項１〜５のいずれか１つに記載のブラシ装置において、
前記スナップフィット結合部材は、前記ベースプレートの一側面に軸線方向に向かって延出形成された複数の係止アームであって、径方向外側に撓んで前記保持プレートの上面に形成されたエッジに前記係止アームの先端部に形成した係止爪が係合し、前記係止アームの復元力にて前記係止爪と前記エッジの係合状態が保持されることを特徴とするブラシ装置。
【請求項９】
請求項１〜８のいずれか１つに記載のブラシ装置において、
前記保持プレートは、前記第１導電部材を保持する第１保持プレートと、前記第２導電部材を保持する第２保持プレートの２つから構成されていることを特徴とするブラシ装置。
【請求項１０】
円環板状に形成したブラシホルダのベースプレートの一側面周方向に複数設けられ、少なくとも１つの第１極性の第１ブラシと、少なくとも１つの第２の極性の第２ブラシを径方向に摺動可能に収容する複数のブラシボックスと、
前記複数のブラシボックスのうち予め定めた隣接する２つのブラシボックス間の前記ベースプレートに設けられた第１電源端子及び第２電源端子と、
円弧状に湾曲され、その湾曲した第１円弧部が前記複数のブラシボックスのうちの対応するブラシボックスの上面に配置され、前記第１ブラシと前記第１電源端子とを電気的に接続する第１導電部材と、
円弧状に湾曲され、その湾曲した第２円弧部が前記複数のブラシボックスのうちの対応するブラシボックスの上面に配置され、前記第２ブラシと前記第２電源端子とを電気的に接続する第２導電部材と
を有したブラシ装置の製造方法であって、
前記対応するブラシホルダの上面に配置される円弧状の保持プレートを用意するとともに、前記保持プレート又は前記ベースプレートの少なくともいずれか一方に、前記保持プレートと前記ベースプレートとをスナップ結合するスナップフィット結合部材を設け、
先ず、前記第１及び第２導電部材をその第１及び第２円弧部を含み前記対応する前記保持プレートの一側面で保持し、
次いで、前記第１導電部材と前記第１ブラシの第１ピッグテールとの溶接を行うとともに前記第２導電部材と前記第２ブラシの第２ピッグテールとの溶接を行い、
次いで、前記保持プレートを前記一側面がブラシボックス上面と対向する側としてスナップフィット結合部材により前記ベースプレートに結合させ、前記第１及び第２導電部材の第１及び第２円弧部を、前記保持プレートの一側面と前記ブラシボックスの上面とで保持するようにしたことを特徴としたブラシ装置の製造方法。
【請求項１１】
請求項１０に記載のブラシ装置の製造方法において、
前記第１及び第２電源端子は、前記ベースプレートに対して前記一側面から他側面に貫通固定され、
前記第１電源端子と前記第１導電部材の溶接、及び、前記第２電源端子と前記第２導電部材の溶接は、
前記第１及び第２導電部材と前記第１及び第２ピッグテールとの溶接を行うときに合わせて行うようにしたことを特徴としたブラシ装置の製造方法。
【請求項１２】
請求項１０又は１１に記載のブラシ装置の製造方法において、
前記保持プレートの一側面は、前記第１導電部材の第１円弧部を嵌合する第１収容溝と、前記第２導電部材の第２円弧部を収容する第２収容溝がそれぞれ形成され、
前記第１及び第２導電部材の第１及び第２円弧部を前記対応するブラシボックスの上面に載置するとき、前記第１及び第２導電部材の第１及び第２円弧部を、前記第１又は第２収容溝に嵌合させた状態で載置することを特徴としたブラシ装置の製造方法。
【請求項１３】
請求項１〜９のいずれか１つに記載のブラシ装置を備えた直流モータ。
【発明の詳細な説明】
【技術分野】
【０００１】
本発明は、ブラシ装置、ブラシ装置の製造方法及び直流モータに関するものである。
【背景技術】
【０００２】
従来、正極ブラシと負極ブラシを複数組備えたブラシ装置が種々されている（例えば、特許文献１、２）。
特許文献１のブラシ装置では、同極のブラシ間及びチョークコイル部を導電板によって一体形成した構成が提案されている。
【０００３】
また、特許文献２のブラシ装置では、複数の正極のブラシを１つの環状の導電板で連結するとともに、また、複数の負極のブラシも１つに環状の導電板で連結する。そして、この２つの環状の導電板にてブラシホルダを挟持するようにした構成が提案されている。
【０００４】
また、他のブラシ装置にあっては、同極ブラシ間を接続する導電板を樹脂製のブラシホルダに一体的に埋設成形するものも知られている。
【先行技術文献】
【特許文献】
【０００５】
【特許文献１】特開２００９−９５０９３号公報
【特許文献２】特表２０１１−５０７４６７号公報
【発明の概要】
【発明が解決しようとする課題】
【０００６】
しかしながら、特許文献１では、同極のブラシが他の極のブラシを跨いで配置されていること及びあわせて導電板にてチョークコイルを形成することから、その成形が非常に難しいとともに、高価な導電板の歩留まりが非常に悪かった。また、特許文献２では、２つの環状の導電板にてブラシホルダを挟持する構造からブラシ装置が軸方向に長くなりモータの大型化に繋がる問題があった。
【０００７】
また、導電板をブラシホルダに一体的に埋設成形するブラシ装置では、導電板の絶縁を確保することから、ブラシホルダの板厚を厚くする必要があった。その結果、歩留まりが悪く成形コストが増大するともに、ブラシ装置が軸方向に長くなりモータの大型化に繋がる問題があった。
【０００８】
そこで、本出願人は、上記問題を解決するために、同極ブラシ間を基礎線材にて結線することを要旨とするブラシ装置を提案している。しかしながら、柔軟な基礎線材を円弧状に湾曲させてブラシ装置に取り付け固定をしていることから、その取り付けは容易ではなかった。また、熱カシメにてブラシボックスに対して基礎線材を直接に支持固定することから、ブラシボックスの変形の虞があった。さらに、基礎線材を円弧状に湾曲させて取り付けられることから、ブラシボックスの変形のみならず電源端子との接続部位に過剰な応力が加わる虞がある。
【０００９】
本発明は、上記課題を解決するためになされたものであって、その目的は、接続部材のブラシホルダへの取り付けをより容易にできるとともに、ブラシボックスの変形が小さく、電源端子との接続応力も小さくできるブラシ装置、ブラシ装置の製造方法及び直流モータを提供することにある。
【課題を解決するための手段】
【００１０】
上記課題を解決するためにブラシ装置は、円環板状に形成したブラシホルダのベースプレートの一側面周方向に複数設けられ、少なくとも１つの第１極性の第１ブラシと、少なくとも１つの第２の極性の第２ブラシを径方向に摺動可能に収容する複数のブラシボックスと、前記複数のブラシボックスのうち予め定めた隣接する２つのブラシボックス間の前記ベースプレートに設けられた第１電源端子及び第２電源端子と、円弧状に湾曲され、その湾曲した第１円弧部が前記複数のブラシボックスのうちの対応するブラシボックスの上面に配置され、前記第１ブラシと前記第１電源端子とを電気的に接続する第１導電部材と、円弧状に湾曲され、その湾曲した第２円弧部が前記複数のブラシボックスのうちの対応するブラシボックスの上面に配置され、前記第２ブラシと前記第２電源端子とを電気的に接続する第２導電部材とを有したブラシ装置であって、前記対応するブラシホルダの上面に配置される保持プレートと、前記保持プレート又は前記ベースプレートの少なくともいずれか一方に設けられ、前記保持プレートと前記ベースプレートとをスナップフィット結合するスナップフィット結合部材とを有し、前記対応するブラシボックスに載置された前記第１導電部材及び前記第２導電部材の第１及び第２円弧部が、前記保持プレートと前記対応するブラシボックスとの間で保持された状態で前記保持プレートと前記ベースプレートがスナップフィット結合されている。
【００１１】
この構成によれば、スナップフィット結合にて保持プレートと対応するブラシホルダが協働して第１及び第２導電部材の第１及び第２円弧部を保持することから、第１及び第２導電部材の取り付けが容易となる。しかも、保持プレートと対応するブラシホルダが協働して第１及び第２導電部材の第１及び第２円弧部を保持することから、第１及び第２円弧部の曲げ応力に対するブラシボックスの変形の虞も低く、第１及び第２導電部材の第１及び第２電源端子に対する接続応力も小である。
【００１２】
上記ブラシ装置において、前記複数のブラシボックスは、６個であって、その６個のブラシホルダは前記第１ブラシと前記第２ブラシを交互に収容し、前記第１導電部材は、前記隣接する２つのブラシボックス以外の４個のブラシホルダの天井壁上に載置される円弧状の前記第１円弧部と、前記第１円弧部の先端から径方向内側に形成した第１チョークコイル部と、前記第１チョークコイル部の先端から前記隣接する２つのブラシボックスのうちの一方のブラシボックスの天井壁を介して前記第１電源端子に接続されたものであり、前記第２導電部材は、前記隣接する２つのブラシボックス以外の４個のブラシホルダの天井壁上に載置される円弧状の前記第２円弧部と、前記第２円弧部の先端から径方向内側に形成した第２チョークコイル部と、前記第２チョークコイル部の先端から前記隣接する２つのブラシボックスのうちの他方のブラシボックスの天井壁を介して前記第２電源端子に接続されたものであり、前記保持プレートは、前記４個のブラシホルダの天井壁上に載置される前記第１及び第２円弧部を前記スナップフィット結合部材にて保持することが好ましい。
【００１３】
この構成によれば、スナップフィット結合にて保持プレートと対応する４個のブラシホルダが協働して第１及び第２導電部材の第１及び第２円弧部を保持していることから、第１及び第２導電部材の取り付けが容易となる。しかも、保持プレートと対応する４個のブラシホルダが協働して第１及び第２導電部材の第１及び第２円弧部を保持していることから、第１及び第２円弧部の曲げ応力に対するブラシボックスの変形の虞も低く、第１及び第２導電部材の第１及び第２電源端子に対する接続応力も小である。
【００１４】
上記ブラシ装置において、前記保持プレートは、前記ブラシホルダの上面側に配置される下面に、前記第１導電部材の第１円弧部を嵌合する第１収容溝と、前記第２導電部材の第２円弧部を収容する第２収容溝をそれぞれ形成したことが好ましい。
【００１５】
この構成によれば、保持プレートの第１及び第２収容溝に第１及び第２導電部材の第１及び第２円弧部がそれぞれ嵌合し保持されることから、第１及び第２円弧部がずれることなく確実に取り付けが容易となる。
【００１６】
また、保持プレートの第１及び第２収容溝に第１及び第２円弧部がそれぞれ嵌合し保持されることから、第１及び第２円弧部の曲げ応力に対するブラシボックスの変形の虞もさらに低く、第１及び第２導電部材の第１及び第２電源端子に対する接続応力も小である。
【００１７】
上記ブラシ装置において、前記保持プレートは、その上面から前記下面に形成した第１収容溝及び第２収容溝に貫通する貫通穴を形成したこがこのましい。
この構成によれば、外部から貫通穴を介して、第１収容溝に嵌合した第１導電部材の第１円弧部と、第２収容溝に嵌合した第２導電部材の第２円弧部をそれぞれ視認することができる。
【００１８】
上記ブラシ装置において、前記保持プレートは、軸方向から見て、前記第１ブラシの第１ピッグテールと前記第１導電部材と電気的接続する位置及び前記第２ブラシの第２ピッグテールと前記第２導電部材と電気的接続する位置に開口部が形成されていることが好ましい。
【００１９】
この構成によれば、第１ピッグテールと第１導電部材との溶接が容易となるとともに、第２ピッグテールと第２導電部材との溶接が容易となる。
上記ブラシ装置において、前記スナップフィット結合部材は、前記保持プレートの上面に周方向に沿って形成された係止舌片であって、前記ベースプレート側に撓んでブラシボックスの側壁に形成されたエッジに前記係止舌片の先端部に形成した係止爪が係合し、前記係止舌片の復元力にて前記係止爪と前記エッジの係合状態が保持されることが好ましい。
【００２０】
この構成によれば、保持プレートがベースプレートに対し軸方向離間する方向に外れないとともに、周方向に位置ずれすることがない。しかも、スナップフィット結合部材を保持プレートに形成したので、ブラシボックスには手を加えることなくブラシホルダを簡単な構成にすることができる。
【００２１】
上記ブラシ装置において、前記保持プレートに周方向に沿って形成された前記係止舌片は、複数であって少なくても１つの第１係止舌片は、他の第２係止舌片と異なる向きに形成され、前記第１係止舌片と前記第２係止舌片はそれぞれ異なるブラシボックスの側壁に形成された凹部のエッジと係合保持されることが好ましい。
【００２２】
この構成によれば、第１及び第２係止舌片は、それぞれ異なるブラシボックスに対して係合保持する。そのため、１つのブラシボックスに対してそれぞれ周方向両側から係合保持する場合のように、ブラシボックスを周方向両側から加わる力によってブラシボックスを変形させることはない。
【００２３】
上記ブラシ装置において、前記スナップフィット結合部材は、前記ベースプレートの一側面に軸線方向に向かって延出形成された複数の係止アームであって、径方向外側に撓んで前記保持プレートの上面に形成されたエッジに前記係止アームの先端部に形成した係止爪が係合し、前記係止アームの復元力にて前記係止爪と前記エッジの係合状態が保持されることが好ましい。
【００２４】
この構成によれば、保持プレートをブラシボックス側の押し付けるというワンタッチ動作によって、保持プレートをブラシホルダに対して連結保持できる。
上記ブラシ装置において、前記保持プレートは、前記第１導電部材を保持する第１保持プレートと、前記第２導電部材を保持する第２保持プレートの２つから構成されていることが好ましい。
【００２５】
この構成によれば、第１保持プレートで第１導電部材を保持し、第２保持プレートで第２導電部材を保持することができる。
上記課題を解決するためにブラシ装置の方法は、円環板状に形成したブラシホルダのベースプレートの一側面周方向に複数設けられ、少なくとも１つの第１極性の第１ブラシと、少なくとも１つの第２の極性の第２ブラシを径方向に摺動可能に収容する複数のブラシボックスと、前記複数のブラシボックスのうち予め定めた隣接する２つのブラシボックス間の前記ベースプレートに設けられた第１電源端子及び第２電源端子と、円弧状に湾曲され、その湾曲した第１円弧部が前記複数のブラシボックスのうちの対応するブラシボックスの上面に配置され、前記第１ブラシと前記第１電源端子とを電気的に接続する第１導電部材と、円弧状に湾曲され、その湾曲した第２円弧部が前記複数のブラシボックスのうちの対応するブラシボックスの上面に配置され、前記第２ブラシと前記第２電源端子とを電気的に接続する第２導電部材とを有したブラシ装置の製造方法であって、前記対応するブラシホルダの上面に配置される円弧状の保持プレートを用意するとともに、前記保持プレート又は前記ベースプレートの少なくともいずれか一方に、前記保持プレートと前記ベースプレートとをスナップ結合するスナップフィット結合部材を設け、先ず、前記第１及び第２導電部材をその第１及び第２円弧部を含み前記対応する前記保持プレートの一側面で保持し、次いで、前記第１導電部材と前記第１ブラシの第１ピッグテールとの溶接を行うとともに前記第２導電部材と前記第２ブラシの第２ピッグテールとの溶接を行い、次いで、前記保持プレートを前記一側面がブラシボックス上面と対向する側としてスナップフィット結合部材により前記ベースプレートに結合させ、前記第１及び第２導電部材の第１及び第２円弧部を、前記保持プレートの一側面と前記ブラシボックスの上面とで保持するようにした。
【００２６】
この構成によれば、第１及び第２円弧部が保持プレートで保持され軸方向にスペースがある状態で溶接ができるので、溶接が容易となる。また、第１及び第２導電部材が保持プレートに固定されているので、ブラシボックスに載置するのが容易となる。
【００２７】
上記ブラシ装置の製造方法おいて、前記第１及び第２電源端子は、前記ベースプレートに対して前記一側面から他側面に貫通固定され、前記第１電源端子と前記第１導電部材の溶接、及び、前記第２電源端子と前記第２導電部材の溶接は、前記第１及び第２導電部材と前記第１及び第２ピッグテールとの溶接を行うときに合わせて行うようにしたことが好ましい。
【００２８】
この構成によれば、第１及び第２電源端子に加わる第１及び第２導電部材の応力を小さくでき、第１及び第２電源端子と第１及び第２導電部材の溶接が容易かつ確実にできる。
上記ブラシ装置の製造方法において、前記保持プレートの一側面は、前記第１導電部材の第１円弧部を嵌合する第１収容溝と、前記第２導電部材の第２円弧部を収容する第２収容溝がそれぞれ形成され、前記第１及び第２導電部材の第１及び第２円弧部を前記対応するブラシボックスの上面に載置するとき、前記第１及び第２導電部材の第１及び第２円弧部を、前記第１又は第２収容溝に嵌合させた状態で載置することが好ましい。
【００２９】
この構成によれば、第１及び第２導電部材をそれぞれ保持プレートの第１及び第２収容溝に配置したことから、第１及び第２ピッグテールと溶接したとき、第１及び第２導電部材の熱による伸縮は、第１及び第２収容溝に沿って伸縮し変化が限定され小さい。その結果、溶接作業、組付け作業が容易となる。
【００３０】
上記課題を解決するために直流モータは、上記のブラシ装置を備えた。
この構成によれば、ブラシホルダに設けたブラシボックスの変形の小さい直流モータを実現できる。
【発明の効果】
【００３１】
本発明によれば、ブラシホルダへの取り付けをより容易にできるとともに、ブラシボックスの変形を小さくできる。
【図面の簡単な説明】
【００３２】
【図１】実施形態の第１及び第２保持プレートを省略した直流モータの断面図。
【図２】同じく、ブラシ装置を説明するための電機子コア側から見た斜視図。
【図３】同じく、ブラシ装置を電機子コア側から見た正面図。
【図４】同じく、ブラシホルダを説明するための電機子コア側から見た斜視図。
【図５】同じくブラシホルダを電機子コア側から見た正面図。
【図６】同じく、第１導電部材による第１電源端子と各第１ブラシとの結線状態を説明するための斜視図。
【図７】同じく、第２導電部材による第２電源端子と各第２ブラシとの結線状態を説明するための斜視図。
【図８】同じく、補助電極端子の正面図。
【図９】同じく、（ａ）は第１コンデンサの斜視図、（ｂ）は第２コンデンサの斜視図。
【図１０】同じく、（ａ）は第１保持プレートを電機子コア側から見た図、（ｂ）は第１保持プレートをベースプレート側から見た図。
【図１１】同じく、（ａ）は第２保持プレートを電機子コア側から見た図、（ｂ）は第２保持プレートをベースプレート側から見た図。
【図１２】同じく、第１導電部材を装着した第１保持プレートをベースプレート側から見た図。
【図１３】同じく、第２導電部材を装着した第２保持プレートをベースプレート側から見た図。
【図１４】同じく、第１及び第２係止舌片の係合状態を示す断面図。
【図１５】同じく、（ａ）は第２軸方向支持段差部と第２段差突片の係合状態を示す断面図、（ｂ）は第１軸方向支持段差部と第１段差突片の係合状態を示す断面図、（ｃ）は第１及び第２周軸方向支持溝と第１及び第２周軸方向支持突起の係合状態を示す断面図。
【図１６】別例のブラシ装置を電機子コア側から見た正面図。
【図１７】同じく、第１保持プレートとベースプレートの連結状態を説明するための断面図。
【発明を実施するための形態】
【００３３】
以下、ブラシ装置、ブラシ装置の製造方法及び直流モータの一実施形態を図１〜図１５に従って説明する。
図１に示すように、直流モータＭは、有蓋円筒状のヨークハウジング１と、該ヨークハウジング１の内部に収容された電機子２と、該ヨークハウジング１の開口部に配置されたブラシ装置３とを備えている。
【００３４】
ヨークハウジング１は、円筒状の円筒部１１と、該円筒部１１の一側上部を閉塞する蓋部１２を有している。円筒部１１の内周面１１ａには、３個の第１永久磁石ＭＧ１（図１では１個のみ表示）と３個の第２永久磁石ＭＧ２（図１では１個のみ表示）が、周方向に交互に配置固定されている。そして、ヨークハウジング１の円筒部１１、３個の第１永久磁石ＭＧ１及び３個の第２永久磁石ＭＧ２にて固定子が構成される。
【００３５】
３個の第１永久磁石ＭＧ１は、径方向内側がＮ極、径方向外側がＳ極に磁化されている。３個の第２永久磁石ＭＧ２は、径方向内側がＳ極、径方向外側がＮ極に磁化されている。そして、周方向に交互に配置された３個の第１永久磁石ＭＧ１と３個の第２永久磁石ＭＧ２は、６０度間隔に配置固定されている。従って、円筒部１１の内側には、周方向に６個の磁極が設けられている。
【００３６】
図１に示すように、周方向に交互に配置された第１永久磁石ＭＧ１と第２永久磁石ＭＧ２の内側には、電機子２が配置されている。電機子２は、円筒部１１の中心軸線上に配置された回転軸２１と、その回転軸２１に一体回転可能に固着された電機子コア２２と、その電機子コア２２のティース２３に巻回された巻線２４と、電機子コア２２に隣接し回転軸２１に一体回転可能に固定された整流子２５を備えている。
【００３７】
回転軸２１は、その基部がヨークハウジング１の蓋部１２の中央部内側に設けた軸受２６にて回転可能に支持されている。電機子コア２２は、回転軸２１であってその回転軸２１の軸方向基端側に一体回転可能に外嵌されている。
【００３８】
電機子コア２２は、回転軸２１の中心軸線Ｏを中心に径方向外側に放射状に延びる９個のティース２３（図１では２個のみ表示）を有している。９個のティース２３は、周方向に４０度の等ピッチに形成されている。そして、９個のティース２３の径方向先端面は、円筒部１１の内周面１１ａに配置された第１永久磁石ＭＧ１と第２永久磁石ＭＧ２と相対向する。そして、各ティース２３には、巻線２４が巻回されている。
【００３９】
整流子２５は、電機子コア２２に隣接して回転軸２１に固着され、同電機子コア２２とともに回転軸２１と一体回転する。整流子２５は、その外周面に複数に整流子片２７が設けられている。整流子片２７の数は、電機子２のティース２３の数の２倍の数に設定されている。従って、ティース２３が９個であることから、整流子片２７の数は１８個となっている。
【００４０】
各整流子片２７の軸線方向の電機子コア２２側端部には、径方向外側に折り返し形成さえたライザ２８がそれぞれ一体形成されている。各整流子片２７のライザ２８には、ティース２３に巻回した巻線２４が掛け止めされている。そして、巻線２４は、その掛け止めされた部分がヒュージングにてライザ２８に固定されることで、そのライザ２８を有する整流子片２７と電気的に接続されている。
【００４１】
図１に示すように、ヨークハウジング１の円筒部１１の開口部側には、ブラシ装置３が配置され、ブラシ装置３を構成するブラシホルダ３０が円筒部１１の開口部を閉塞している。
【００４２】
図４に示すように、ブラシホルダ３０は、絶縁性の合成樹脂材料から形成され、環状のベースプレート３１と、ベースプレート３１の内側面ｆ１に一体形成された第１〜第６ブラシボックス３２ａ〜３２ｆ（図１では、総称して符号を「３２」と付している）と、ベースプレート３１の外側面ｆ２に一体形成された端子保持部３３を有している。
【００４３】
ここで、ベースプレート３１の電機子コア２２側の円環状側面を内側面ｆ１といい、ベースプレート３１の反電機子コア２２側の円環状側面を外側面ｆ２という。
図２〜図５に示すように、ブラシホルダ３０のベースプレート３１は、円環板状をなしその外周面が、円筒部１１の開口部の内周面１１ａに嵌着固定されている。ベースプレート３１は、その中央部に貫通穴３４が形成されている。貫通穴３４は、その内径が回転軸２１の外径より大きく形成され、図１に示すように、同回転軸２１の出力端側が貫通するようになっている。貫通穴３４を貫通した回転軸２１の出力端側は、図示しない軸受にて回転可能に支持されている。
【００４４】
図２及び図３に示すように、６個の第１〜第６ブラシボックス３２ａ〜３２ｆは、ベースプレート３１の内側面ｆ１において周方向に６０度の等ピッチとなる６箇所の位置に設けられている。等間隔に設けられた第１〜第６ブラシボックス３２ａ〜３２ｆの径方向内側に形成される空間に、図１に示すように、整流子２５が配置されるようになっている。
【００４５】
図４及び図５に示すように、第１〜第６ブラシボックス３２ａ〜３２ｆは、ともに径方向に延びる四角筒状なしている。第１〜第６ブラシボックス３２ａ〜３２ｆは、内側面ｆ１から軸方向に立設され、図５において周方向時計回り方向の第１側壁Ｗ１と、反時計回り方向の第２側壁Ｗ２と、その第１及び第２側壁Ｗ１，Ｗ２の先端辺間を連結する天井壁Ｗ３と備えている。これによって、第１〜第６ブラシボックス３２ａ〜３２ｆは、内側面ｆ１、一対の第１及び第２側壁Ｗ１，Ｗ２及び天井壁Ｗ３にて構成される断面四角形状のブラシ収容室がそれぞれ形成されている。
【００４６】
第１〜第６ブラシボックス３２ａ〜３２ｆの一対の第１及び第２側壁Ｗ１，Ｗ２は、周方向に離間するとともに互いに平行に立設されている。ここで、各ブラシボックス３２ａ〜３２ｆにおいて、回転軸２１の中心軸線Ｏから径方向に延び一対の第１及び第２側壁Ｗ１，Ｗ２の中間位置を通過するそれぞれの直線をそれぞれ第１〜第６中心線Ｌ１〜Ｌ６とすると、隣り合う中心線が、中心軸線Ｏを中心になす角度はそれぞれ６０度となる。
【００４７】
従って、各ブラシボックス３２ａ〜３２ｆのブラシ収容室は、中心軸線Ｏを中心に径方向に延び、その径方向に延びる中心位置（第１〜第６中心線Ｌ１〜Ｌ６）が周方向に６０度の間隔で配置されている。
【００４８】
第１〜第６ブラシボックス３２ａ〜３２ｆの第１側壁Ｗ１及び第２側壁Ｗ２には、それぞれ径方向外側端から径方向内側に向かってガイド凹部３５が切り欠き形成されている。
また、第１〜第６ブラシボックス３２ａ〜３２ｆの一対の第１及び第２側壁Ｗ１，Ｗ２の径方向外側端部には、一対の係止片３６が径方向外側に向かって延出形成されている。一対の係止片３６は、先端に周方向に互いに離間する方向に爪を有し、図１に示す、各ブラシボックス３２ａ〜３２ｆの径方向外側の開口部を閉塞するキャップＣＰを係止し装着する。
【００４９】
第１〜第６ブラシボックス３２ａ〜３２ｆの天井壁Ｗ３は、電機子コア２２側の側面である壁面が軸線方向に直交する平面であって、内側面ｆ１からの高さ（軸線方向の長さ）が等しくなっている。
【００５０】
図４及び図５に示すように、第３ブラシボックス３２ｃと第４ブラシボックス３２ｄの天井壁Ｗ３には、第１及び第２規制突起４１，４２が突出形成されている。第１規制突起４１は、第３ブラシボックス３２ｃの天井壁Ｗ３の径方向内側の第１側壁Ｗ１側に形成されている。第２規制突起４２は、第４ブラシボックス３２ｄの天井壁Ｗ３の径方向内側の第２側壁Ｗ２側に形成されている。
【００５１】
また、図４及び図５に示すように、ベースプレート３１の内側面ｆ１であって第３ブラシボックス３２ｃと第４ブラシボックス３２ｄの中間位置には、軸線方向に規制アーム４３が延出形成されている。
【００５２】
図４及び図５に示すように、ベースプレート３１において、第６ブラシボックス３２ｆと第１ブラシボックス３２ａの中間位置には、貫通穴３４の開口端から径方向外側に向かって、コンデンサ載置台５０、一対の第１及び第２電源端子支持穴５１，５２、補助端子固定台５３に順に形成されている。
【００５３】
詳述すると、回転軸２１の中心軸線Ｏから第６ブラシボックス３２ｆと第１ブラシボックス３２ａの中間位置を径方向に通過する直線を基準線Ｌｋとすると、この基準線Ｌｋ上にコンデンサ載置台５０の中間位置が位置するようになっている。同様に、この基準線Ｌｋ上に、第１電源端子支持穴５１と第２電源端子支持穴５２の中間位置が位置するとともに、補助端子固定台５３の中間位置が位置するようになっている。
【００５４】
コンデンサ載置台５０は、基準線Ｌｋ上の位置に軸線方向に延出形成された仕切壁５５を有し、その仕切壁５５にて径方向に延びる２つの載置部５０ａ，５０ｂが形成される。
コンデンサ載置台５０の径方向外側のベースプレート３１の内側面ｆ１には、軸方向から見て長方形の第１電源端子支持穴５１と第２電源端子支持穴５２が、基準線Ｌｋを対称軸として対称に貫通形成されている。第１及び第２電源端子支持穴５１，５２は、ベースプレート３１の外側面ｆ２おいて、その外側面ｆ２に軸線方向に延出形成した端子保持部３３と対向する位置に形成されている。そして、第１及び第２電源端子支持穴５１，５２は、端子保持部３３内を通って同端子保持部３３の先端面まで貫通している。
【００５５】
第１電源端子支持穴５１には、図６に示す第１電源端子６１が貫挿される。第１電源端子６１は、その先端部が端子保持部３３の先端面から突出するまで貫挿されている。
第２電源端子支持穴５２には、図７に示す第２電源端子６２が貫挿される。第２電源端子６２は、その先端部が端子保持部３３の先端面から突出するまで貫挿されている。
【００５６】
図６及び図７に示すように、第１及び第２電源端子６１，６２は、共に板材をクランク状に折り曲げ形成され、それぞれ第１及び第２電源端子支持穴５１，５２に貫挿される貫挿部６１ａ，６２ａ、内側面ｆ１に当接する当接部６１ｂ，６２ｂ、内側面ｆ１から軸線方向に立設する端子部６１ｃ，６２ｃを有する。
【００５７】
第１及び第２電源端子６１，６２の貫挿部６１ａ，６２ａは、共に同じに長さになっている。従って、端子保持部３３の先端面から突出する第１及び第２電源端子６１，６２の先端部は同じ長さとなる。
【００５８】
また、貫挿部６１ａ，６２ａの幅狭の両側面には、切り返し６１ｄ，６２ｄが形成されている。切り返し６１ｄ，６２ｄは、貫挿部６１ａ，６２ａをそれぞれ第１及び第２電源端子支持穴５１，５２に貫挿する時、第１及び第２電源端子支持穴５１，５２の内側面に圧接しながら貫挿される。そして、貫挿した後に、第１及び第２電源端子６１，６２を引き抜こうとしても切り返し６１ｄ，６２ｄが第１及び第２電源端子支持穴５１，５２の内側面に食い込み抜けないようにしている。
【００５９】
第１及び第２電源端子６１，６２の当接部６１ｂ，６２ｂは、共に同じに長さになっている。そして、貫挿部６１ａ，６２ａを第１及び第２電源端子支持穴５１，５２に貫挿した状態で、当接部６１ｂ，６２ｂは、ベースプレート３１の内側面ｆ１に当接する。
【００６０】
第１及び第２電源端子６１，６２の端子部６１ｃ，６２ｃは、図６及び図７に示すように、第２電源端子６２の端子部６２ｃの長さが第１電源端子６１の端子部６１ｃの長さより長く形成されている。そして、両端子部６１ｃ，６２ｃの先端には同じ深さの切り込み６１ｅ，６２ｅがそれぞれ形成されている。従って、第２電源端子６２の端子部６２ｃの切り込み６２ｅが、第１電源端子６１の端子部６１ｃの切り込み６１ｅよりも高い位置にある。
【００６１】
なお、第１及び第２電源端子６１，６２を第１及び第２電源端子支持穴５１，５２に貫挿する際、第１及び第２電源端子６１，６２の端子部６１ｃ，６２ｃが互いに離間するように貫挿するようにしている。
【００６２】
第１及び第２電源端子支持穴５１，５２の径方向外側のベースプレート３１の内側面ｆ１には、補助端子固定台５３が形成されている。補助端子固定台５３は、補助電極端子固定孔５７が、基準線Ｌｋを対称軸として対称に２つ形成されている。２つの補助電極端子固定孔５７は、ベースプレート３１の外側面ｆ２まで貫通しない孔であって、軸方向から見て長方形の孔である。
【００６３】
そして、一対の補助電極端子固定孔５７には、図８に示す補助電源端子６５が挿入固定される。補助電源端子６５は、板状のベース部６５ａの一側（図８では下側）に一対の補助電極端子固定孔５７に嵌入される固定足部６５ｂを有している。
【００６４】
両固定足部６５ｂの幅狭の両側面には、切り返し６５ｃが形成されている。切り返し６５ｃは、固定足部６５ｂを補助電極端子固定孔５７に嵌入する時、補助電極端子固定孔５７の内側面に圧接しながら嵌入される。そして、嵌入した後に、補助電源端子６５を引き抜こうとしても切り返し６５ｃが補助電極端子固定孔５７の内側面に食い込み抜けないようにしている。
【００６５】
一方、補助電源端子６５のベース部６５ａの他側（図８では上側）に第１及び第２補助端子部６６，６７が延出形成されている。第１補助端子部６６は第１電源端子６１寄りに形成され、第２補助端子部６７は第２電源端子６２寄りに形成されている。第１補助端子部６６の幅広側の面が、第１電源端子６１の端子部６１ｃの幅広の面に対して直交するとともに、第２補助端子部６７の幅広側の面が、第２電源端子６２の端子部６２ｃの幅広の面に対して直交するようになっている。
【００６６】
図８に示すように、第１補助端子部６６の軸方向の長さが第２補助端子部６７の長さよりも長く形成されている。このとき、第１補助端子部６６の先端の高さ位置が、前記した第２電源端子６２の端子部６２ｃの高さ位置と一致させている。同様に、第２補助端子部６７の先端の高さ位置が、前記した第１電源端子６１の端子部６１ｃの高さ位置と一致させている。
【００６７】
両補助端子部６６，６７の先端には同じ深さの切り込み６６ａ，６７ａがそれぞれ形成されている。従って、第１補助端子部６６の切り込み６６ａが、第２補助端子部６７の切り込み６７ａよりも高い位置にある。そして、第１補助端子部６６の切り込み６６ａと第２電源端子６２の切り込み６２ｅは同じ高さに、第２補助端子部６７の切り込み６７ａと第１電源端子６１の切り込み６１ｅは同じ高さにしている。
【００６８】
また、第１補助端子部６６と第２補助端子部６７の中間位置（基準線Ｌｋ上の位置）におけるベース部６５ａの他側には、付勢片６８が延出形成されている。付勢片６８は、上方に延出形成された後、径方向外側に屈曲形成され、外側に膨らんだ後に先端を径方向内側に屈曲させている。
【００６９】
この付勢片６８の径方向外側への膨みは、ベースプレート３１の外周面より外まで張り出させている。これによって、ベースプレート３１をヨークハウジング１の円筒部１１に嵌着させた時、付勢片６８は、円筒部１１の内周面１１ａに当接して径方向内側に撓み、円筒部１１の内周面１１ａに対して圧接保持されるようになっている。
【００７０】
上記のように構成されたブラシホルダ３０に形成された第１〜第６ブラシボックス３２ａ〜３２ｆには、それぞれ陽極用のブラシである第１ブラシＢ１又は陰極用のブラシである第２ブラシＢ２のいずれかが収容される。
【００７１】
詳述すると、第２、第４、第６ブラシボックス３２ｂ，３２ｄ，３２ｆには、それぞれ第１ブラシＢ１が収容される。第１、第３、第５ブラシボックス３２ａ，３２ｃ，３２ｅには、それぞれ第２ブラシＢ２が収容される。これによって、第１ブラシＢ１と第２ブラシＢ２は、回転軸２１を挟んで相対向するように配置される。
【００７２】
第１〜第６ブラシボックス３２ａ〜３２ｆに対応する第１ブラシＢ１及び第２ブラシＢ２がそれぞれ挿入されると、第１〜第６ブラシボックス３２ａ〜３２ｆには、その径方向外側の開口部から圧縮コイルばねＳＰ（図１参照）が挿入される。次に、その径方向外側の端部にキャップＣＰが装着される。そして、第１ブラシＢ１及び第２ブラシＢ２は、それぞれが挿入された第１〜第６ブラシボックス３２ａ〜３２ｆ内に圧縮コイルばねＳＰを縮設して径方向内側に付勢されるようになっている。その結果、第１ブラシＢ１及び第２ブラシＢ２は、それぞれが挿入された第１〜第６ブラシボックス３２ａ〜３２ｆの一対の第１及び第２側壁Ｗ１，Ｗ２に案内されながら径方向内側に移動可能となり、摺接する整流子片２７に摺接可能に圧接する。
【００７３】
そして、これら３個ずつの第１ブラシＢ１と第２ブラシＢ２と摺接する整流子片２７を介して第１ブラシＢ１と第２ブラシＢ２から巻線２４に電流が供給されるようになっている。
【００７４】
また、第１ブラシＢ１及び第２ブラシＢ２は、それぞれ第１ピッグテールＰＴ１及び第２ピッグテールＰＴ２を設けている。そして、第１ブラシＢ１及び第２ブラシＢ２が対応するブラシボックス３２ａ〜３２ｆに挿入されるとき、第１ピッグテールＰＴ１及び第２ピッグテールＰＴ２は、ブラシボックス３２ａ〜３２ｆに設けたガイド凹部３５を通ってブラシボックス３２ａ〜３２ｆの外部に引き出されているようになっている。
【００７５】
ちなみに、第１ブラシボックス３２ａの第２ピッグテールＰＴ２、第２及び第４ブラシボックス３２ｂ，３２ｄの第１ピッグテールＰＴ１は、第１、第２及び第４ブラシボックス３２ａ，３２ｂ，３２ｄの第１側壁Ｗ１に形成されたガイド凹部３５を通ってそれぞれ外部に引き出されている。また、第３及び第５ブラシボックス３２ｃ，３２ｅの第２ピッグテールＰＴ２、第６ブラシボックス３２ｆの第１ピッグテールＰＴ１は、第３、第５及び第６ブラシボックス３２ｃ，３２ｅ，３２ｆの第２側壁Ｗ２に形成されたガイド凹部３５を通ってそれぞれ外部に引き出されている。
【００７６】
また、図２、図３、図６及び図７に示すように、ブラシ装置３は、第１導電部材７１が設けられている。第１導電部材７１は、第２〜第６ブラシボックス３２ｂ〜３２ｆの天井壁Ｗ３に配置され第１電源端子６１と３個の第１ブラシＢ１とを電気的に接続する。また、ブラシ装置３は、第２導電部材７２が設けられている。第２導電部材７２は、第１〜第５ブラシボックス３２ａ〜３２ｅの天井壁Ｗ３に配置され第２電源端子６２と３個の第２ブラシＢ２とを電気的に接続する。
【００７７】
図６に示すように、第１導電部材７１は、１本の基礎線材から形成されている。本実施形態では、基礎線材は、断面円形状の導線の外周を絶縁性の絶縁被膜にて被覆してなる被覆導線（絶縁電線）である。第１導電部材７１は、１本の基礎線材を湾曲及び屈曲して形成されており、第１円弧部７１ａと、第１直線部７１ｂと、第１チョークコイル７１ｃと、第１接続部７１ｄとを備えている。
【００７８】
第１導電部材７１は、円弧状に湾曲形成された第１円弧部７１ａが、図２及び図３に示すように、第２ブラシボックス３２ｂ〜第５ブラシボックス３２ｅ上に配置される。なお、第１円弧部７１ａの周方向反時計回り方向の端部は、第２ブラシボックス３２ｂの天井壁Ｗ３の時計回り方向の端部まで延出している。第１円弧部７１ａの周方向時計回り方向の端部は、第１直線部７１ｂが延出形成されている。第１直線部７１ｂは、第５ブラシボックス３２ｅの天井壁Ｗ３の時計回り方向の端部から同第５ブラシボックス３２ｅと第６ブラシボックス３２ｆの中間位置まで配置される。
【００７９】
第１導電部材７１の第１チョークコイル７１ｃは、第５ブラシボックス３２ｅと第６ブラシボックス３２ｆの中間位置まで配置された端部から径方向内側に向かって螺旋状に導線を巻いて形成している。従って、第１チョークコイル７１ｃは第５ブラシボックス３２ｅと第６ブラシボックス３２ｆとの間に形成される空間を径方向に沿って形成され配置されている。
【００８０】
第１導電部材７１の第１接続部７１ｄは、第１チョークコイル７１ｃの径方向内側端部から第６ブラシボックス３２ｆの天井壁Ｗ３に沿って延び、天井壁Ｗ３を過ぎた後に内側面ｆ１に向かって折り曲げ形成される。そして、内側面ｆ１に向かって延びた第１接続部７１ｄの端部７１ｅは、径方向外側に折り曲げ形成されている。
【００８１】
このとき、径方向外側に折り曲げ形成された第１接続部７１ｄの端部７１ｅは、第１電源端子６１の端子部６１ｃの周方向反時計回り方向の側面に当接するように配置される。この第１接続部７１ｄの端部７１ｅは、第１チョークコイル７１ｃが持つ弾性力にて周方向反時計回り方向への弾性力が付与され、端子部６１ｃの反時計回り方向の側面に対して弾圧した状態で当接している。
【００８２】
このように配置された第１導電部材７１に対して、後記する溶接方法によって、第２、第４及び第６ブラシボックス３２ｂ，３２ｄ，３２ｆに収容された各第１ブラシＢ１の第１ピッグテールＰＴ１が電気的に接続される。そして、合わせて、第１導電部材７１の端部７１ｅが、第１電源端子６１の端子部６１ｃと電気的に接続される。これによって、各第１ブラシＢ１は、第１電源端子６１と電気的に接続される。
【００８３】
同様に、図７に示すように、第２導電部材７２は、第１導電部材７１と同じ１本の基礎線材から形成されている。第２導電部材７２は、１本の基礎線材を湾曲及び屈曲して形成されており、第２円弧部７２ａと、第２直線部７２ｂと、第２チョークコイル７２ｃと、第２接続部７２ｄとを備えている。
【００８４】
第２導電部材７２は、円弧状に湾曲形成された第２円弧部７２ａが、図２及び図３に示すように、第５ブラシボックス３２ｅ〜第１ブラシボックス３２ａ上に配置される。なお、第２円弧部７２ａの周方向時計回り方向の端部は、第５ブラシボックス３２ｅの天井壁Ｗ３まで延出している。
【００８５】
第２円弧部７２ａの周方向反時計回り方向の端部は、第２直線部７２ｂが延出形成されている。第２直線部７２ｂは、第２ブラシボックス３２ｂの天井壁Ｗ３の反時計回り方向の端部から同第２ブラシボックス３２ｂと第１ブラシボックス３２ａの中間位置まで配置される。
【００８６】
第２導電部材７２の第２チョークコイル７２ｃは、第２ブラシボックス３２ｂと第１ブラシボックス３２ａの中間位置まで配置された端部から径方向内側に向かって螺旋状に導線を巻いて形成している。従って、第２チョークコイル７２ｃは第２ブラシボックス３２ｂと第１ブラシボックス３２ａとの間に形成される空間を径方向に沿って形成され配置されている。
【００８７】
第２導電部材７２の第２接続部７２ｄは、第２チョークコイル７２ｃの径方向内側端部から第１ブラシボックス３２ａの天井壁Ｗ３に沿って延び、天井壁Ｗ３を過ぎた後に内側面ｆ１に向かって折り曲げ形成される。そして、内側面ｆ１に向かって延びた第２接続部７２ｄの端部７２ｅは、径方向外側に折り曲げ形成されている。
【００８８】
このとき、径方向外側に折り曲げ形成された第２接続部７２ｄの端部７２ｅは、第２電源端子６２の端子部６２ｃの周方向時計回り方向の側面に当接するように配置される。この第２接続部７２ｄの端部７２ｅは、第２チョークコイル７２ｃが持つ弾性力にて周方向時計回り方向への弾性力が付与され、端子部６１ｃの反時計回り方向の側面に対して弾圧した状態で当接している。
【００８９】
このように配置された第２導電部材７２に対して、後記する溶接方法によって、第１、第３及び第５ブラシボックス３２ａ，３２ｃ，３２ｅに収容された各第２ブラシＢ２の第２ピッグテールＰＴ２が電気的に接続される。そして、合わせて、第２導電部材７２の端部７２ｅが、第２電源端子６２の端子部６２ｃと電気的に接続される。これによって、各第２ブラシＢ２は、第２電源端子６２と電気的に接続される。
【００９０】
図２及び図３に示すように、第１導電部材７１は、第１保持プレート８０によって第２〜第５ブラシボックス３２ｂ〜３２ｅ上に配置され保持されている。また同様に、第２導電部材７２は、第１保持プレート８０の径方向内側に配置された第２保持プレート９０によって第２〜第５ブラシボックス３２ｂ〜３２ｅ上に配置され保持されている。
【００９１】
ここで、図２及び図３に示す第１及び第２導電部材７１，７２を保持する第１及び第２保持プレート８０，９０の配置位置を、第１及び第２保持プレート８０，９０の保持位置という。
【００９２】
図１０（ａ）（ｂ）の示すように、第１保持プレート８０は、全体形状が半円弧状の板体であって、絶縁性の合成樹脂材料にて形成されている。半円弧板状の第１保持プレート８０は、その外径がベースプレート３１の外径より短く設定され、その内径が中心軸線Ｏから環状に配置された第１〜第６ブラシボックス３２ａ〜３２ｆの径方向の中間位置までの長さに設定されている。第１保持プレート８０は、図３に示すように、保持位置に配置される。即ち、第１保持プレート８０は、その反時計回り方向の側面が第２ブラシボックス３２ｂの天井壁Ｗ３に位置する。そして、第１保持プレート８０は、第３及び第４ブラシボックス３２ｃ，３２ｄを経て、その時計回り方向の側面が第５ブラシボックス３２ｅの天井壁Ｗ３に位置するように配置されている。
【００９３】
図１０（ｂ）に示すように、第１保持プレート８０の下面（反電機子コア側の面）８０ａは、平面であって、その下面８０ａに第１導電部材７１の第１円弧部７１ａが嵌合する円弧状の第１収容溝８１が形成されている。第１収容溝８１は、第１保持プレート８０の反時計回り方向の側面から時計回り方向の側面に至る円弧状の溝である。
【００９４】
第１収容溝８１は、図１５（ａ）に示すように、下面８０ａ側を開口した断面が矩形状の溝であって、その深さは第１導電部材７１に外径よりも若干深く、その幅は第１導電部材７１の外径より若干広く形成されている。また、第１収容溝８１は、その両側面には第１導電部材７１の外径を圧接あるいは第１導電部材７１の第１収容溝８１から脱落を阻止する突起８１ａが周方向に所定のインターバルで形成されている。
【００９５】
尚、前記突起８１ａは、後記する第１〜第３貫通穴８２ａ〜８２ｃの部位においては、第１収容溝８１の開口側上端にのみ径方向に対向して形成され第１導電部材７１の脱落を阻止する。また、前記突起８１ａは、第１〜第３貫通穴８２ａ〜８２ｃ以外の部位においては第１収容溝８１の底から開口側上端に延び径方向に対向して形成され第１導電部材７１を固定する。
【００９６】
その結果、第１導電部材７１の第１円弧部７１ａは、両側面の突起８１ａにて弾圧され第１収容溝８１内から外れることなく保持される。
図１０（ａ）に示すように、第１保持プレート８０の上面（電機子コア２２側の面）８０ｂの３箇所には、第１〜第３貫通穴８２ａ〜８２ｃが貫通形成されている。第１〜第３貫通穴８２ａ〜８２ｃは、第１保持プレート８０が保持位置に載置されたとき、軸方向から見て第１収容溝８１の中心軸線と第３〜第５ブラシボックス３２ｃ〜３２ｅの第３〜第５中心線Ｌ３〜Ｌ５とそれぞれ交差する位置にそれぞれ形成されている。
【００９７】
これら第１〜第３貫通穴８２ａ〜８２ｃは、第１収容溝８１内の第１導電部材７１の第１円弧部７１ａが嵌合保持されているかどうかを視認するための穴である。ちなみに、図３に示すように、第１貫通穴８２ａは第３ブラシボックス３２ｃ上の、第２貫通穴８２ｂは第４ブラシボックス３２ｄ上の、第３貫通穴８２ｃは第５ブラシボックス３２ｅ上の、第１収容溝８１内の第１導電部材７１の第１円弧部７１ａをそれぞれ視認する。
【００９８】
図１０（ａ）に示すように、第１保持プレート８０の上面８０ｂには、Ｕ字状の一対の第１及び第２舌片形成用穴８３ａ，８３ｂが貫通形成されている。第１及び第２舌片形成用穴８３ａ，８３ｂは、第１貫通穴８２ａと第２貫通穴８２ｂの中間を径方向に通る中間線を対称に、軸線方向から見てＵ字状に貫通形成されている。
【００９９】
第１舌片形成用穴８３ａは、周方向（反時計回り方向）にＵ字状に形成されている。そして、その第１舌片形成用穴８３ａに囲まれる内側には、反時計回り方向に延びる舌状の第１係止舌片８４ａが形成される。また、第２舌片形成用穴８３ｂは、周方向（時計回り方向）にＵ字状に形成されている。そして、その第２舌片形成用穴８３ｂに囲まれる内側には、時計回り方向に延びる舌状の第２係止舌片８４ｂが形成される。
【０１００】
従って、第１係止舌片８４ａは、その先端部が反時計回り方向、即ち、第３ブラシボックス３２ｃ側を向き、一方、第２係止舌片８４ｂは、その先端部が時計回り方向、即ち、第４ブラシボックス３２ｄ側を向いている。この第１及び第２係止舌片８４ａ，８４ｂの上面８０ｂ側の先端部には、係止爪８５ａ，８５ｂがそれぞれ形成されている。
【０１０１】
第１及び第２係止舌片８４ａ，８４ｂは、自身の弾性力で基端部を支点として撓むようになっている。そして、図１４に示すように、第１係止舌片８４ａを下面８０ａ（ベースプレート３１側）の方向に撓ませることによって、第１係止舌片８４ａの先端部に形成した係止爪８５ａを、第３ブラシボックス３２ｃの第２側壁Ｗ２に形成したガイド凹部３５の上側エッジに係合させることができる。そして、係止爪８５ａとガイド凹部３５の上側エッジが係合すると、第１係止舌片８４ａの弾性復元力によりその係合状態が保持される。
【０１０２】
同様に、第２係止舌片８４ｂを下面８０ａの方向に撓ませることによって、第２係止舌片８４ｂの先端部に形成した係止爪８５ｂを、第４ブラシボックス３２ｄの第１側壁Ｗ１に形成したガイド凹部３５の上側エッジに係合させることができる。そして、係止爪８５ｂとガイド凹部３５の上側エッジが係合すると、第２係止舌片８４ｂの弾性復元力によりその係合状態が保持される。
【０１０３】
従って、図１４に示すように、第１及び第２係止舌片８４ａ，８４ｂの係止爪８５ａ，８５ｂをそれぞれのガイド凹部３５の上側エッジに係合させることにより、第１保持プレート８０は、周方向の移動及び軸方向であって電機子コア２２側へ離間する移動が規制される。
【０１０４】
図１０（ａ）（ｂ）に示すように、第１保持プレート８０の外周部には、第１収容溝８１を分断し径方向内側部分に至るＵ字状の第１及び第２外側開口凹部８６ａ，８６ｂが形成されている。
【０１０５】
第１外側開口凹部８６ａは、図３に示すように、第１保持プレート８０が保持位置に載置されたとき、第２ブラシボックス３２ｂと第３ブラシボックス３２ｃの間であって第２ブラシボックス３２ｂ寄りに形成されている。このとき、この第１外側開口凹部８６ａによって、第１収容溝８１に嵌合した第１導電部材７１の第１円弧部７１ａ及び第２ブラシボックス３２ｂに収容された第１ブラシＢ１から引き出された第１ピッグテールＰＴ１が露出するようになっている。
【０１０６】
一方、第２外側開口凹部８６ｂは、図３に示すように、第１保持プレート８０が保持位置に載置されたとき、第４ブラシボックス３２ｄと第５ブラシボックス３２ｅの間であって第４ブラシボックス３２ｄ寄りに形成されている。このとき、この第２外側開口凹部８６ｂよって、第１収容溝８１に嵌合した第１導電部材７１の第１円弧部７１ａ及び第４ブラシボックス３２ｄに収容された第１ブラシＢ１から引き出された第１ピッグテールＰＴ１が露出するようになっている。
【０１０７】
また、図１０（ａ）（ｂ）に示すように、第１保持プレート８０の外周部であって第１及び第２外側開口凹部８６ａ，８６ｂの間には、コ字状の外側周方向規制凹部８６ｃが形成されている。詳述すると、図３に示すように、外側周方向規制凹部８６ｃは、第１保持プレート８０が保持位置に載置されたとき、第３ブラシボックス３２ｃと第４ブラシボックス３２ｄの中間位置と対応する位置に形成されている。
【０１０８】
このとき、第１保持プレート８０が保持位置に載置されたとき、外側周方向規制凹部８６ｃは、ベースプレート３１の内側面ｆ１であって第３ブラシボックス３２ｃと第４ブラシボックス３２ｄの中間位置から軸線方向に突出形成した規制アーム４３が嵌合するようになっている。この外側周方向規制凹部８６ｃが規制アーム４３に嵌合することによって、第１保持プレート８０は、ベースプレート３１に対して、周方向の移動が規制されるとともに、径方向外側への移動が規制される。
【０１０９】
また、図１０（ａ）に示すように、第１保持プレート８０の内周部には、コ字状に切り欠き形成された第１及び第２内側開口凹部８７ａ，８７ｂが形成されている。
第１内側開口凹部８７ａは、図３に示すように、第１保持プレート８０が保持位置に載置されたとき、第２ブラシボックス３２ｂと第３ブラシボックス３２ｃの間であって第３ブラシボックス３２ｃ寄りに形成されている。このとき、この第１内側開口凹部８７ａによって、第３ブラシボックス３２ｃに収容された第２ブラシＢ２から引き出された第２ピッグテールＰＴ２が露出するようになっている。
【０１１０】
一方、第２内側開口凹部８７ｂは、図３に示すように、第１保持プレート８０が保持位置に載置されたとき、第４ブラシボックス３２ｄと第５ブラシボックス３２ｅの間であって第５ブラシボックス３２ｅ寄りに形成されている。このとき、この第２内側開口凹部８７ｂによって、第５ブラシボックス３２ｅに収容された第２ブラシＢ２から引き出された第２ピッグテールＰＴ２が露出するようになっている。
【０１１１】
また、図１０（ａ）に示すように、第１保持プレート８０の上面８０ｂであって内周部の両側縁部には、第１保持プレート８０の板厚の半分の板厚からなる第１及び第２軸方向支持段差部８８ａ，８８ｂが形成されている。
【０１１２】
第１軸方向支持段差部８８ａは、反時計回り方向の側面から切り欠き形成された切り欠き凹部から周方向に形成され、図１５（ｂ）に示すように、後記する第２保持プレート９０に形成した第１段差突片９８ａとその段差面同士が係合するようになっている。
【０１１３】
一方、第２軸方向支持段差部８８ｂは、時計回り方向の側面から周方向に第２内側開口凹部８７ｂまで形成され、図１５（ａ）に示すように、後記する第２保持プレート９０に形成した第２段差突片９８ｂとその段差面同士が係合するようになっている。
【０１１４】
さらに、図１０（ｂ）に示すように、第１保持プレート８０の下面８０ａの内周部であって第１及び第２内側開口凹部８７ａ，８７ｂの間には、第１及び第２周軸方向支持溝８９ａ，８９ｂが形成されている。第１及び第２周軸方向支持溝８９ａ，８９ｂは、図１５（ｃ）に示すように、後記する第２保持プレート９０に形成した第１及び第２周軸方向支持突起９９ａ，９９ｂと嵌合するようになっている。
【０１１５】
第１保持プレート８０に対して径方向内側に配置された第２保持プレート９０は、図１１（ａ）（ｂ）の示すように、全体形状が半円弧状の板体であって、絶縁性の合成樹脂材料にて形成されている。半円弧板状の第２保持プレート９０は、その外径が第１保持プレート８０の内径と同じに設定され、その内径が環状に配置された第１〜第６ブラシボックス３２ａ〜３２ｆの径方向の内端位置までの長さに設定されている。そして、第２保持プレート９０は、第１保持プレート８０に対して径方向内側に配置される。
【０１１６】
第２保持プレート９０は、図３に示すように、保持位置に載置される。即ち、第２保持プレート９０は、その反時計回り方向の側面が第２ブラシボックス３２ｂの天井壁Ｗ３の第１側壁Ｗ１寄りに位置する。そして、第２保持プレート９０は、第３及び第４ブラシボックス３２ｃ，３２ｄを経て、その時計回り方向の側面が第５ブラシボックス３２ｅの天井壁Ｗ３に達する位置するように配置されている。
【０１１７】
図１１（ｂ）に示すように、第２保持プレート９０の下面（反電機子コア側の面）９０ａは、平面であって、その下面９０ａに第２導電部材７２の第２円弧部７２ａが嵌合する円弧状の第２収容溝９１が形成されている。第２収容溝９１は、第２保持プレート９０の反時計回り方向の側面から時計回り方向の側面に至る円弧状の溝である。
【０１１８】
第２収容溝９１は、図１５（ａ）に示すように、下面９０ａ側を開口した断面が矩形状の溝であって、その深さは第２導電部材７２に外径よりも若干深く、その幅は第２導電部材７２の外径より若干広く形成されている。また、第２収容溝９１は、その両側面には第２導電部材７２の外径を圧接あるいは第２導電部材７２の第２収容溝９１から脱落を阻止する突起９１ａが周方向に所定のインターバルで形成されている。
【０１１９】
尚、前記突起９１ａは、後記する第１及び第２貫通穴９２ａ，９２ｂの部位においては、第２収容溝９１の開口側上端にのみ径方向に対向して形成され第２導電部材７２の脱落を阻止する。また、前記突起９１ａは、第１及び第２貫通穴９２ａ，９２ｂ以外の部位においては第２収容溝９１の底から開口側上端に延び径方向に対向して形成され第２導電部材７２を固定する。
【０１２０】
その結果、第２導電部材７２の第２円弧部７２ａは、両側面の突起９１ａにて弾圧され第２収容溝９１内から外れることなく保持される。
図１１（ａ）に示すように、第２保持プレート９０の上面（電機子コア２２側の面）９０ｂの２箇所には、第１及び第２貫通穴９２ａ，９２ｂが貫通形成されている。第１及び第２貫通穴９２ａ，９２ｂは、第２保持プレート９０が保持位置に載置されたとき、軸方向から見て第２収容溝９１の中心軸線と第３及び第４ブラシボックス３２ｃ，３２ｄの第３及び第４中心線Ｌ３，Ｌ４とそれぞれ交差する位置にそれぞれ形成されている。
【０１２１】
これら第１及び第２貫通穴９２ａ，９２ｂは、第２収容溝９１内の第２導電部材７２の第２円弧部７２ａが嵌合保持されているかどうかを視認するための穴である。ちなみに、図３に示すように、第１貫通穴９２ａは第３ブラシボックス３２ｃ上の、第２貫通穴９２ｂは第４ブラシボックス３２ｄ上の、第２収容溝９１内の第２導電部材７２の第２円弧部７２ａをそれぞれ視認する。
【０１２２】
図１１（ａ）（ｂ）に示すように、第２保持プレート９０の外周部には、第２収容溝９１を分断し径方向内側部分に至るＵ字状に切り欠き形成された第１及び第２外側開口凹部９７ａ，９７ｂが形成されている。第１及び第２外側開口凹部９７ａ，９７ｂは、第２保持プレート９０を第１保持プレート８０に対して図３に示すように径方向内側に配置したとき、第１保持プレート８０の第１及び第２内側開口凹部８７ａ，８７ｂと径方向において相対向する。
【０１２３】
従って、第１外側窓用凹部９７ａは、図３に示すように、第１及び第２保持プレート８０，９０が保持位置に載置されたとき、第２ブラシボックス３２ｂと第３ブラシボックス３２ｃの間であって第３ブラシボックス３２ｃ寄りに形成されている。このとき、この第１外側開口凹部９７ａと第１内側開口凹部８７ａとによって、第２導電部材７２の第２円弧部７２ａ及び第３ブラシボックス３２ｃの第２ブラシＢ２から引き出された第２ピッグテールＰＴ２が露出する第１覗き窓１０１が形成される。
【０１２４】
一方、第２外側開口凹部９７ｂは、図３に示すように、第１及び第２保持プレート８０，９０が保持位置に載置されたとき、第４ブラシボックス３２ｄと第５ブラシボックス３２ｅの間であって第５ブラシボックス３２ｅ寄りに形成されている。このとき、この第２外側開口凹部９７ｂと第２内側開口凹部８７ｂとによって、第２導電部材７２の第２円弧部７２ａ及第５ブラシボックス３２ｅの第２ブラシＢ２から引き出された第２ピッグテールＰＴ２が露出する第２覗き窓１０２が形成される。
【０１２５】
また、図１１（ｂ）に示すように、第２保持プレート９０の下面９０ａであって径方向外側の両側縁部には、第１及び第２段差突片９８ａ，９８ｂが形成されている。
第１段差突片９８ａは、反時計回り方向の端部であって径方向外側に延出形成されている。第１段差突片９８ａは、軸線方向の厚み（板厚）が第２保持プレート９０本体の板厚の半分であって、第１段差突片９８ａの上面と第２保持プレート９０の上面９０ｂと面一になっている。そして、図１５（ｂ）に示すように、第１段差突片９８ａは、第１保持プレート８０に形成した第１軸方向支持段差部８８ａとその段差面同士が係合するようになっている。
【０１２６】
一方、第２段差突片９８ｂは、時計回り方向の端部から周方向に第２外側開口部凹部９７ｂまで形成されている。第２段差突片９８ｂは、軸線方向の厚み（板厚）が第１段差突片９８ａと同じであって、その第２段差突片９８ｂの上面と第２保持プレート９０の上面９０ｂと面一になっている。そして、図１５（ａ）に示すように、第２段差突片９８ｂは、第１保持プレート８０に形成した第２軸方向支持段差部８８ｂとその段差面同士が係合するようになっている。
【０１２７】
さらに、図１１（ａ）（ｂ）に示すように、第２保持プレート９０の外周部であって第１及び第２外側開口凹部９７ａ，９７ｂの間には、第１及び第２周軸方向支持突起９９ａ，９９ｂが形成されている。
【０１２８】
第１及び第２周軸方向支持突起９９ａ，９９ｂは、第１及び第２保持プレート８０，９０が保持位置に載置されたとき、図１５（ｃ）に示すように、第１保持プレート８０に形成した第１及び第２周軸方向支持溝８９ａ，８９ｂとそれぞれ嵌合するようになっている。このとき、第１及び第２周軸方向支持突起９９ａ，９９ｂは、第１及び第２周軸方向支持溝８９ａ，８９ｂに対して周方向及び軸方向に係合する。
【０１２９】
また、図１１（ａ）（ｂ）に示すように、第２保持プレート９０の内周部には、コ字状の内側周方向規制凹部１００が形成されている。図３に示すように、内側周方向規制凹部１００は、第２保持プレート９０が保持位置に載置されたとき、第３ブラシボックス３２ｃと第４ブラシボックス３２ｄの中間位置と対応する位置に形成されている。
【０１３０】
そして、第２保持プレート９０が保持位置に載置されたとき、内側周方向規制凹部１００の両側のコーナ部は、第３及び第４ブラシボックス３２ｃ，３２ｄの天井壁Ｗ３にそれぞれ突出形成した第１及び第２規制突起４１，４２が係合するようになっている。この内側周方向規制凹部１００が第１及び第２規制突起４１，４２に係合することによって、第２保持プレート９０は、ベースプレート３１に対して、周方向の移動が規制されるとともに、径方向内側への移動が規制される。
【０１３１】
図２及び図３に示すように、第１ブラシボックス３２ａと第６ブラシボックス３２ｆの間に設けられコンデンサ載置台５０には、第１コンデンサＣａと第２コンデンサＣｂが載置される。詳述すると、コンデンサ載置台５０において、第６ブラシボックス３２ｆ側の載置部５０ａには、第１コンデンサＣａが載置され、第１ブラシボックス３２ａ側の載置部５０ｂには、第２コンデンサＣｂが載置されている。
【０１３２】
図９（ａ）（ｂ）に示すように、第１及び第２コンデンサＣａ，Ｃｂは、その本体形状が偏平の四角形状をなしている。
第１コンデンサＣａは、図９（ａ）に示すように、偏平矩形状の本体部と、その最も幅広の偏平面ｆａ間を繋ぐ幅狭の一側面（図２において径方向外側の面）の上下両側（図２においては軸線方向）から引き出された電源端子側リード線Ｃａ１及び補助電源端子側リード線Ｃａ２とから構成されている。
【０１３３】
図９（ａ）において、電源端子側リード線Ｃａ１は下側に設けられ、その中間位置から図９（ａ）において右側に屈曲形成されている。また、補助電源端子側リード線Ｃａ２は上側に設けられ、全長が図９（ａ）において前方に向かって形成されている。
【０１３４】
このように形成された、第１コンデンサＣａを載置部５０ａに載置するとき、偏平形状の第１コンデンサＣａの偏平面ｆａが、軸線方向に延びる中心軸線と径方向に延びる放射線とで形成される面と平行になるように配置する。しかも、電源端子側リード線Ｃａ１が内側面ｆ１側に位置するように第１コンデンサＣａを載置部５０ａに載置する。
【０１３５】
これによって、電源端子側リード線Ｃａ１が、第１電源端子６１の端子部６１ｃ側を向き、補助電源端子側リード線Ｃａ２が、補助電源端子６５の第１補助端子部６６側を向く。そして、電源端子側リード線Ｃａ１を端子部６１ｃの切り込み６１ｅに挟入するとともに、補助電源端子側リード線Ｃａ２を第１補助端子部６６の切り込み６６ａに挟入し、これら挟入にて電気的に接続する。
【０１３６】
これによって、第１コンデンサＣａは、第１電源端子６１と補助電源端子６５（ヨークハウジング１）との間において電気的に接続される。
一方、第２コンデンサＣｂは、図９（ｂ）に示すように、偏平矩形状の本体部と、その最も幅広の偏平面ｆｂ間を繋ぐ幅狭の一側面（図２において径方向外側の面）の上下両側（図２においては軸線方向）から引き出された電源端子側リード線Ｃｂ１及び補助電源端子側リード線Ｃｂ２とから構成されている。
【０１３７】
図９（ｂ）において、電源端子側リード線Ｃｂ１は上側に設けられ、その中間位置から図９（ｂ）において左側に屈曲形成されている。また、補助電源端子側リード線Ｃｂ２は下側に設けられ、全長が図９（ｂ）において前方に向かって形成されている。
【０１３８】
このように形成された、第２コンデンサＣｂを載置部５０ｂに載置するとき、偏平形状の第２コンデンサＣｂの偏平面ｆｂが、軸線方向に延びる中心軸線と径方向に延びる放射線とで形成される面と平行になるように配置する。しかも、補助電源端子側リード線Ｃｂ２が内側面ｆ１側に位置するように第２コンデンサＣｂを載置部５０ｂに載置する。
【０１３９】
これによって、電源端子側リード線Ｃｂ１が、第２電源端子６２の端子部６２ｃ側を向き、補助電源端子側リード線Ｃｂ２が、補助電源端子６５の第２補助端子部６７側を向く。そして、電源端子側リード線Ｃｂ１を端子部６２ｃの切り込み６２ｅに挟入するとともに、補助電源端子側リード線Ｃｂ２を第２補助端子部６７の切り込み６７ａに挟入し、これら挟入にて電気的に接続する。
【０１４０】
次に、上記のように構成したブラシ装置３の作用について説明する。
第１及び第２導電部材７１，７２の第１及び第２円弧部７１ａ，７２ａは、第１及び第２保持プレート８０，９０にそれぞれ保持される。第１及び第２導電部材７１，７２を湾曲して形成した第１及び第２円弧部７１ａ，７２ａの曲げに基づく応力は、第２〜第５ブラシボックス３２ｂ〜３２ｅだけにかかるのではなく、第１及び第２保持プレート８０，９０がそれぞれ協働して支える。そのため、第２〜第５ブラシボックス３２ｂ〜３２ｅは第１及び第２円弧部７１ａ，７２ａの曲げに基づく応力によって変形する虞は小さい。
【０１４１】
しかも、第１及び第２円弧部７１ａ，７２ａは、第１及び第２保持プレート８０，９０に形成した第１及び第２収容溝８１，９１に収容したので、第１及び第２円弧部７１ａ，７２ａの曲げに基づく応力は、ほとんど第１及び第２保持プレート８０，９０にかかることになる。その結果、第２〜第５ブラシボックス３２ｂ〜３２ｅは、第１及び第２円弧部７１ａ，７２ａの曲げに基づく応力によって変形する虞は益々小さくなる。
【０１４２】
また、第１保持プレート８０の下面８０ａの内周部に第１及び第２周軸方向支持溝８９ａ，８９ｂを形成するとともに、第２保持プレート９０の下面９０ａの外周部に第１及び第２周軸方向支持突起９９ａ，９９ｂを形成した。そして、第１及び第２周軸方向支持溝８９ａ，８９ｂに第１及び第２周軸方向支持突起９９ａ，９９ｂを嵌合させた状態で、第１保持プレート８０と第２保持プレート９０は一体化する。この一体化した状態で、第１保持プレート８０と第２保持プレート９０は周方向への相対移動が規制されるとともに、軸方向において互いに向き合う方向の相対移動が規制される。
【０１４３】
また、第１保持プレート８０の内周部両側部に第１及び第２軸方向支持段差部８８ａ，８８ｂを形成するとともに、第２保持プレート９０の外周部両側部に第１及び第２段差突片９８ａ，９８ｂ形成した。そして、第１保持プレート８０と第２保持プレート９０を一体化するとき、第１及び第２軸方向支持段差部８８ａ，８８ｂと第１及び第２段差突片９８ａ，９８ｂは、その段差面同士がそれぞれ係合する。これによって、第１保持プレート８０と第２保持プレート９０は、軸方向において互いに向き合う方向の相対移動が規制される。
【０１４４】
また、第１保持プレート８０の外周部にコ字状の外側周方向規制凹部８６ｃを形成するとともに、第２保持プレート９０の内周部にコ字状の内側周方向規制凹部１００を形成する。そして、一体化した第１保持プレート８０と第２保持プレート９０を、保持位置に配置すると、外側周方向規制凹部８６ｃにベースプレート３１に突出形成した規制アーム４３が嵌合する。一方、内側周方向規制凹部１００の両側のコーナ部に第３及び第４ブラシボックス３２ｃ，３２ｄの天井壁Ｗ３にそれぞれ形成した第１及び第２規制突起４１，４２が係合する。
【０１４５】
これによって、一体化された第１及び第２保持プレート８０，９０は、周方向の移動が規制されるとともに、径方向への移動が規制される。
また、第１及び第２保持プレート８０，９０を、保持位置に配置した状態で、第１保持プレート８０に設けた第１及び第２係止舌片８４ａ，８４ｂを撓ませることによって、第１及び第２係止舌片８４ａ，８４ｂをそれぞれのガイド凹部３５の上側エッジに係合させる。これによって、第１保持プレート８０（第２保持プレート９０）は、ブラシホルダ３０に対して離間することがなく、第１及び第２導電部材７１，７２を第２〜第５ブラシボックス３２ｂ〜３２ｅとの間で保持する。
【０１４６】
このとき、第１係止舌片８４ａは、反時計回り方向に位置する第３ブラシボックス３２ｃの第１側壁Ｗ１に形成したガイド凹部３５の上側エッジを反時計方向に弾圧した状態で係合する。一方、第２係止舌片８４ｂは、時計回り方向に位置する第４ブラシボックス３２ｄの第２側壁Ｗ２に形成したガイド凹部３５の上側エッジを時計方向に弾圧した状態で係合する。
【０１４７】
これによって、簡単に第１及び第２保持プレート８０，９０をブラシホルダ３０に取り付けることができるとともに、第１保持プレート８０（第２保持プレート９０）は、ブラシホルダ３０に対して周方向の移動が規制される。
【０１４８】
しかも、本実施形態の場合、第１及び第２係止舌片８４ａ，８４ｂは、１つのブラシホルダにおける第１側壁Ｗ１と第２側壁Ｗ２の両側からスナップフィット結合させるようにしていないので、両側からスナップフィット結合によるブラシボックスの変形はない。
【０１４９】
ここで、上記のように構成したブラシホルダ３０への第１及び第２導電部材７１，７２の取り付け方法について説明する。
今、ブラシホルダ３０の各ブラシボックス３２ａ〜３２ｆにそれぞれ対応する第１及び第２ブラシＢ１，Ｂ２が収容されている。そして、図５に示すように、第１ブラシボックス３２ａの第２ピッグテールＰＴ２は、第１ブラシボックス３２ａの第１側壁Ｗ１に形成されたガイド凹部３５を通って外部に引き出されている。同様に、第２及び第４ブラシボックス３２ｂ，３２ｄの第１ピッグテールＰＴ１は、第１、第２及び第４ブラシボックス３２ａ，３２ｂ，３２ｄの第１側壁Ｗ１に形成されたガイド凹部３５を通ってそれぞれ外部に引き出されている。
【０１５０】
また、第３及び第５ブラシボックス３２ｃ，３２ｅの第２ピッグテールＰＴ２は、第３、及び第５ブラシボックス３２ｃ，３２ｅの第２側壁Ｗ２に形成されたガイド凹部３５を通ってそれぞれ外部に引き出されている。同様に、第６ブラシボックス３２ｆの第１ピッグテールＰＴ１は、第６ブラシボックス３２ｆの第２側壁Ｗ２に形成されたガイド凹部３５を通って外部に引き出されている。
【０１５１】
一方、第１保持プレート８０と第２保持プレート９０を用意し、第１保持プレート８０の内周面と第２保持プレート９０の外周面が合わさるように、第１保持プレート８０と第２保持プレート９０を重ねて一体化する。
【０１５２】
この時、第１保持プレート８０の第１及び第２周軸方向支持溝８９ａ，８９ｂに第２保持プレート９０の第１及び第２周軸方向支持突起９９ａ，９９ｂが嵌合する。同様に、第１保持プレート８０の第１及び第２軸方向支持段差部８８ａ，８８ｂと第２保持プレート９０の第１及び第２段差突片９８ａ，９８ｂが係合する。
【０１５３】
次に、この状態で、第１保持プレート８０の第１収容溝８１に第１導電部材７１の第１円弧部７１ａを嵌合させるとともに、第２保持プレート９０の第２収容溝９１に第２導電部材７２の第２円弧部７２ａを嵌合させる。
【０１５４】
なお、本実施形態では、第１及び第２保持プレートを一体化した後に、第１及び第２円弧部７１ａ，７２ａをそれぞれの第１及び第２収容溝８１，９１に嵌合させた。これを、先に第１及び第２円弧部７１ａ，７２ａをそれぞれの第１及び第２収容溝８１，９１に嵌合させた後に、第１及び第２保持プレート８０，９０を一体化して実施してもよい。
【０１５５】
次に、第１及び第２保持プレート８０，９０を保持位置に配置し、図示しない治具を使って保持した状態で、第１導電部材７１と第１ブラシＢ１の第１ピッグテールＰＴ１の溶接を、溶接機を使って行う。同様に、第２導電部材７２と第２ブラシＢ２の第２ピッグテールＰＴ２の溶接を、溶接機を使って行う。
【０１５６】
第１導電部材７１に対する溶接は以下のように行われる。
第１導電部材７１と第２ブラシボックス３２ｂから引き出された第１ピッグテールＰＴ１との溶接は、第１保持プレート８０に形成された第１外側開口凹部８６ａを介して行われる。また、第１導電部材７１と第４ブラシボックス３２ｄから引き出された第１ピッグテールＰＴ１との溶接は、第１保持プレート８０に形成された第２外側開口凹部８６ｂを介して行われる。
【０１５７】
さらに、第１導電部材７１と第６ブラシボックス３２ｆから引き出された第１ピッグテールＰＴ１との溶接は、第１保持プレート８０が配置していないことから直接行われる。そして、最後に、第１導電部材７１と第１電源端子６１との溶接が行われることによって第１導電部材７１に関する全ての溶接が完了する。
【０１５８】
なお、第１導電部材７１に対する溶接の順番は、上記の順番に限定されず適宜変更して実施してもよい。
次に、第２導電部材７２に対する溶接は以下のように行われる。
【０１５９】
第２導電部材７２と第５ブラシボックス３２ｅから引き出された第２ピッグテールＰＴ２との溶接は、第１及び第２保持プレート８０，９０とで形成された第２覗き窓１０２を介して行われる。また、第２導電部材７２と第３ブラシボックス３２ｃから引き出された第２ピッグテールＰＴ２との溶接は、第１及び第２保持プレート８０，９０とで形成された第１覗き窓１０１を介して行われる。
【０１６０】
さらに、第２導電部材７２と第１ブラシボックス３２ａから引き出された第２ピッグテールＰＴ２との溶接は、第２保持プレート９０が配置していないことから直接行われる。そして、最後に、第２導電部材７２と第２電源端子６２との溶接が行われることによって第２導電部材７２に関する全ての溶接が完了する。
【０１６１】
なお、第２導電部材７２に対する溶接の順番は、上記の順番に限定されず適宜変更して実施してもよい。
第１及び第２導電部材７１，７２に関しての溶接が完了すると、第１保持プレート８０に形成した第１及び第２係止舌片８４ａ，８４ｂをベースプレート３１側に撓ませながら第１及び第２保持プレート８０，９０を、第２〜第５ブラシボックス３２ｂ〜３２ｅ上の保持位置に載置する。これによって、第１及び第２係止舌片８４ａ，８４ｂの係止爪８５ａ，８５ｂはそれぞれ第３及び第４ブラシボックス３２ｃ，３２ｄのガイド凹部３５の上側エッジにそれぞれ係合（スナップフィット結合）する。これによって、第１及び第２導電部材７１，７２のブラシホルダ３０への取り付けが終了する。
【０１６２】
このとき、ベースプレート３１から延出形成された規制アーム４３が、第１保持プレート８０に形成した外側周方向規制凹部８６ｃに嵌合する。また、第３及び第４ブラシボックス３２ｃ，３２ｄの天井壁Ｗ３に形成した第１及び第２規制突起４１，４２が、第２保持プレート９０に形成した内側周方向規制凹部１００に嵌合する。
【０１６３】
次に、上記実施形態の効果を以下に記載する。
（１）本実施形態によれば、第１及び第２導電部材７１，７２の第１及び第２円弧部７１ａ，７２ａを第１及び第２保持プレート８０，９０にてそれぞれ保持した。従って、第２〜第５ブラシボックス３２ｂ〜３２ｅは第１及び第２円弧部７１ａ，７２ａの曲げに基づく応力による変形を小さくできる。
【０１６４】
また、製造工程において、第１及び第２保持プレート８０，９０に第１及び第２導電部材７１，７２を保持しながら溶接を行うことから、溶接作業が容易となる。しかも、軸方向にスペースを作ることができ、軸方向にスペースがある状態で溶接ができることから、溶接がさらに容易となる。
【０１６５】
（２）本実施形態によれば、また、第１及び第２円弧部７１ａ，７２ａを、第１及び第２保持プレート８０，９０に形成した第１及び第２収容溝８１，９１に収容した。従って、第１及び第２円弧部７１ａ，７２ａの曲げに基づく応力は、ほとんど第１及び第２保持プレート８０，９０にかかることになり、第２〜第５ブラシボックス３２ｂ〜３２ｅは、第１及び第２円弧部７１ａ，７２ａの曲げに基づく応力による変形をさらに小さくすることができる。
【０１６６】
また、製造工程において、第１及び第２円弧部７１ａ，７２ａをそれぞれの第１及び第２収容溝８１，９１に収容した状態で第１及び第２ピッグテールＰＴ１，ＰＴ２と溶接する。従って、第１及び第２導電部材７１，７２の熱による伸縮は、第１及び第２収容溝８１，９１に沿って伸縮し変化が限定され小さいため、組付けが容易となる。
【０１６７】
（３）本実施形態によれば、第１及び第２保持プレート８０，９０を一体化し保持位置に配置したとき、第１及び第２周軸方向支持溝８９ａ，８９ｂに第１及び第２周軸方向支持突起９９ａ，９９ｂが嵌合する。従って、第１保持プレート８０と第２保持プレート９０における周方向への相対移動を規制することができるとともに、軸方向において互いに向き合う方向の相対移動を規制することができる。
【０１６８】
（４）本実施形態によれば、第１及び第２保持プレート８０，９０を一体化し保持位置に配置したとき、第１及び第２軸方向支持段差部８８ａ，８８ｂと第１及び第２段差突片９８ａ，９８ｂは、その段差面同士がそれぞれ係合する。従って、第１保持プレート８０と第２保持プレート９０における互いに軸方向の相対移動を規制することができる。
【０１６９】
（５）本実施形態によれば、第１及び第２保持プレート８０，９０を一体化し保持位置に配置したとき、第１保持プレート８０の外側周方向規制凹部８６ｃにベースプレート３１に突出形成した規制アーム４３が嵌合する。また、第２保持プレート９０の内側周方向規制凹部１００に第３及び第４ブラシボックス３２ｃ，３２ｄの第１及び第２規制突起４１，４２が係合する。従って、第１及び第２保持プレート８０，９０における周方向の移動を規制することができるとともに、径方向への移動を規制することができる。
【０１７０】
（６）本実施形態によれば、第１及び第２保持プレート８０，９０を一体化し保持位置に配置したとき、第１保持プレート８０に設けた第１及び第２係止舌片８４ａ，８４ｂを撓ませて、第１及び第２係止舌片８４ａ，８４ｂをそれぞれのガイド凹部３５の上側エッジに係合させた。従って、第１及び第２保持プレート８０，９０は、ブラシホルダ３０に対して離間することがなく、第１及び第２導電部材７１，７２を第２〜第５ブラシボックス３２ｂ〜３２ｅとの間で保持させることができる。
【０１７１】
しかも、このとき、第１係止舌片８４ａは、第３ブラシボックス３２ｃの第１側壁Ｗ１のガイド凹部３５の上側エッジに係合する。一方、第２係止舌片８４ｂは、第４ブラシボックス３２ｄの第２側壁Ｗ２のガイド凹部３５の上側エッジに係合する。
【０１７２】
従って、第１及び第２保持プレート８０，９０においてブラシホルダ３０に対して周方向の移動を規制することができる。
しかも、本実施形態の場合、第１及び第２係止舌片８４ａ，８４ｂは、１つのブラシホルダの第１側壁Ｗ１と第２側壁Ｗ２の両側からスナップフィット結合させるようにしていないことから、両側からのスナップフィット結合に起因するブラシボックスの変形はない。
【０１７３】
また、スナップフィット結合のための第１及び第２係止舌片８４ａ，８４ｂは、第１保持プレート８０のみに形成することができ、組み付けが容易なスナップフィット構造を非常に簡単な構成で実現できる。
【０１７４】
（７）本実施形態によれば、第１及び第２保持プレート８０，９０のそれぞれ第１及び第２収容溝８１，９１に収容される第１及び第２導電部材７１，７２の第１及び第２円弧部７１ａ，７２ａを視認するための貫通穴８２ａ〜８２ｃ，９２ａ，９２ｂを設けた。
【０１７５】
従って、第１及び第２円弧部７１ａ，７２ａがそれぞれ第１及び第２収容溝８１，９１に収容されていることを確認しながら第２〜第５ブラシボックス３２ｂ〜３２ｅと第１及び第２保持プレート８０，９０との間で第１及び第２円弧部７１ａ，７２ａを保持することができる。
【０１７６】
（８）本実施形態によれば、第１保持プレート８０の外周部に、第１導電部材７１の第１円弧部７１ａと第２ブラシボックス３２ｂの第１ブラシＢ１から引き出された第１ピッグテールＰＴ１が露出する第１外側開口凹部８６ａを形成した。また、第１導電部材７１の第１円弧部７１ａと第４ブラシボックス３２ｄの第１ブラシＢ１から引き出された第１ピッグテールＰＴ１が露出する第２外側開口凹部８６ｂを形成した。
【０１７７】
従って、第１円弧部７１ａと第２ブラシボックス３２ｂの第１ブラシＢ１から引き出された第１ピッグテールＰＴ１との溶接、及び、第１円弧部７１ａと第４ブラシボックス３２ｄの第１ブラシＢ１から引き出された第１ピッグテールＰＴ１との溶接が非常に簡単に行える。
【０１７８】
一方、第１保持プレート８０と第２保持プレート９０とで、第２導電部材７２の第２円弧部７２ａと第３ブラシボックス３２ｃの第２ブラシＢ２から引き出された第２ピッグテールＰＴ２が露出する第１覗き窓１０１を形成した。また、第２導電部材７２の第２円弧部７２ａと第５ブラシボックス３２ｅの第２ブラシＢ２から引き出された第２ピッグテールＰＴ２が露出する第２覗き窓１０２を形成した。
【０１７９】
従って、第２円弧部７２ａと第３ブラシボックス３２ｃの第２ブラシＢ２から引き出された第２ピッグテールＰＴ２との溶接、及び、第２円弧部７２ａと第５ブラシボックス３２ｅの第２ブラシＢ２から引き出された第２ピッグテールＰＴ２との溶接が非常に簡単に行える。
【０１８０】
また、第１及び第２覗き窓１０１，１０２を形成するにおいて、第１保持プレート８０と第２保持プレート９０の２つで形成した。そのため、１つの保持プレートに貫通穴を形成して第１及び第２覗き窓１０１，１０２を実現するに較べて、製造が容易で全体として安価に製造できる。
【０１８１】
上記実施の形態は、以下のように変更してもよい。
○上記実施形態では、第１保持プレート８０にスナップフィット結合のための第１及び第２係止舌片８４ａ，８４ｂを形成した。これを図１６及び図１７に示すように、ブラシホルダ３０側に設けて実施してもよい。
【０１８２】
すなわち、図１６に示すように、ベースプレート３１の内側面ｆ１の外周部であって、第２ブラシボックス３２ｂと第３ブラシボックス３２ｃに中間位置、及び、第４ブラシボックス３２ｄと第５ブラシボックス３２ｅに中間位置に、軸線方向に向かって係止アーム１０５を延出されている。図１７に示すように、係止アーム１０５の径方向内側の先端には、係止爪１０６が形成されている。
【０１８３】
係止アーム１０５は、自身の弾性力で基端部を支点として径方向に撓むようになっている。そして、係止アーム１０５を径方向外側に撓ませることによって、係止アーム１０５の先端部に形成した係止爪１０６を、第１保持プレート８０の上面８０ｂの外周部エッジに係合させる。そして、係止爪１０６と第１保持プレート８０の上面８０ｂの外周部エッジが係合する係止アーム１０５の弾性復元力によりその係合状態が保持される。
【０１８４】
従って、係止アーム１０５の係止爪１０６をそれぞれ第１保持プレート８０の上面８０ｂの外周部エッジに係合させることにより、第１保持プレート８０を、軸方向であって電機子コア２２側へ離間する移動を規制することができる。
【０１８５】
この場合、第２保持プレート９０と一体化された第１保持プレート８０を、上方からブラシボックス側の保持位置に向かって押し付けるという簡単なワンタッチ動作で第１保持プレート８０をブラシホルダ３０に対して連結保持できる。
【０１８６】
なお、図１６及び図１７に示す係止アーム１０５と上記実施形態の第１及び第２係止舌片８４ａ，８４ｂを合わせて実施してもよいことは勿論である。
また、係止アーム１０５をベースプレート３１の径方向内側であって、第３ブラシボックス３２ｃと第４ブラシボックス３２ｄの中間位置に設ける。一方、この係止アーム１０５と対向する第１保持プレート８０の位置に、係止アーム１０５を貫通する貫挿穴を形成する。そして、係止アーム１０５を、その貫挿穴に径方向に撓ませながら貫挿させて、係止アーム１０５の先端に設けた係止爪１０６を貫挿穴の上面８０ｂ側の開口部エッジに係合させて、第１保持プレート８０をブラシホルダ３０に対して連結保持するようにして実施してもよい。
【０１８７】
この場合、図１６及び図１７に示す係止アーム１０５とあわせて実施してもよい。
○上記実施形態では、第１導電部材７１の第１円弧部７１ａを第１保持プレート８０にて保持し、第２導電部材７２の第２円弧部７２ａを第２保持プレート９０にて保持した。これを、１つの保持プレートにて第１導電部材７１の第１円弧部７１ａと第２導電部材７２の第２円弧部７２ａを保持するようにして実施してもよい。
【０１８８】
○上記実施形態では、第１及び第２保持プレート８０，９０のそれぞれ第１及び第２収容溝８１，９１を設けたが、これを省略して実施してもよい。また、第１及び第２収容溝８１，９１に代えて下面８０ａ，９０ａにそれぞれ突起を円弧状に一定の間隔に並設して、それぞれの第１及び第２円弧部７１ａ，７２ａを支持するようにして実施してもよい。
【０１８９】
○上記実施形態では、第１及び第２保持プレート８０，９０のそれぞれに貫通穴８２ａ〜８２ｃ，９２ａ，９２ｂを形成したが、これら貫通穴８２ａ〜８２ｃ，９２ａ，９２ｂを省略して実施してもよい。
【０１９０】
○上記実施形態では、第１保持プレート８０（第２保持プレート９０）をスナップフィット結合しない前に、第１及び第２導電部材７１，７２の溶接を行った。これを、第１保持プレート８０（第２保持プレート９０）をスナップフィット結合した後に、第１及び第２導電部材７１，７２の溶接を行ってもよい。
【符号の説明】
【０１９１】
１…ヨークハウジング、２…電機子、３…ブラシ装置、１１…円筒部、１１ａ…内周面、１２…蓋部、２１…回転軸、２２…電機子コア、２３…ティース、２４…巻線、２５…整流子、２６…軸受、２７…整流子片、２８…ライザ、３０…ブラシホルダ、３１…ベースプレート、３２，３２ａ〜３２ｆ…第１〜第６ブラシボックス、３３…端子保持部、３４…貫通穴、３５…ガイド凹部、３６…係止片、４１，４２…第１及び第２規制突起、４３…規制アーム、５０…コンデンサ載置台、５１，５２…第１及び第２電源端子支持穴、５３…補助端子固定台、５７…補助電極端子固定孔、６１，６２…第１及び第２電源端子、６１ａ，６２ａ…貫挿部、６１ｂ，６２ｂ…当接部、６１ｃ，６２ｃ…端子部、６１ｄ，６２ｄ…切り返し、６１ｅ，６２ｅ…切り込み、６５…補助電源端子、６５ａ…ベース部、６５ｂ…固定足部、６５ｃ…切り返し、６６，６７…第１及び第２補助端子部、６６ａ，６７ａ…切り込み、７１，７２…第１及び第２導電部材、７１ａ，７２ａ…第１及び第２円弧部、７１ｂ，７２ｂ…第１及び第２直線部、７１ｃ，７２ｃ…第１及び第２チョークコイル（第１及び第２チョークコイル部）、７１ｄ，７２ｄ…第１及び第２接続部、７１ｅ，７２ｅ…端部、８０…第１保持プレート、８０ａ…下面、８０ｂ…上面、８１…第１収容溝、８１ａ…突起、８２ａ〜８２ｃ…第１〜第３貫通穴、８３ａ，８３ｂ…第１及び第２舌片形成用穴、８４ａ，８４ｂ…第１及び第２係止舌片（スナップフィット結合部材）、８５ａ，８５ｂ…係止爪、８６ａ，８６ｂ…第１及び第２外側開口凹部、８６ｃ…外側周方向規制凹部、８７ａ，８７ｂ…第１及び第２内側開口凹部、８８ａ，８８ｂ…第１及び第２軸方向支持段差部、８９ａ，８９ｂ…第１及び第２周軸方向支持溝、９０…第２保持プレート、９０ａ…下面、９０ｂ…上面、９１…第２収容溝、９１ａ…突起、９２ａ，９２ｂ…第１及び第２貫通穴、９７ａ，９７ｂ…第１及び第２外側開口凹部、９８ａ，９８ｂ…第１及び第２段差突片、９９ａ，９９ｂ…第１及び第２周軸方向支持突起、１００…内側周方向規制凹部、１００ａ，１００ｂ…コーナ部、１０１，１０２…第１及び第２覗き窓、１０５…係止アーム（スナップフィット結合部材）、１０６…係止爪、Ｍ…直流モータ、ＭＧ１，ＭＧ２…第１及び第２永久磁石、
Ｏ…中心軸線、ｆ１…内側面、ｆ２…外側面、Ｗ１，Ｗ２…第１及び第２側壁、Ｗ３…天井壁、ＣＰ…キャップ、ＳＰ…圧縮コイルばね、Ｌｋ…基準線、Ｂ１，Ｂ２…第１及び第２ブラシ、ＰＴ１，ＰＴ２…第１及び第２ピッグテール、Ｃａ，Ｃｂ…第１及び第２コンデンサ、Ｃａ１，Ｃａ２…第１及び第２引出線、Ｃｂ１，Ｃｂ２…第１及び第２引出線。
【図１】
2014087102.tif 000003
【図２】
2014087102.tif 000004
【図３】
2014087102.tif 000005
【図４】
2014087102.tif 000006
【図５】
2014087102.tif 000007
【図６】
2014087102.tif 000008
【図７】
2014087102.tif 000009
【図８】
2014087102.tif 000010
【図９】
2014087102.tif 000011
【図１０】
2014087102.tif 000012
【図１１】
2014087102.tif 000013
【図１２】
2014087102.tif 000014
【図１３】
2014087102.tif 000015
【図１４】
2014087102.tif 000016
【図１５】
2014087102.tif 000017
【図１６】
2014087102.tif 000018
【図１７】
2014087102.tif 000019